(57)【要約】【課題】ブロアモータの取り外しを互いに反対の２方向から選択的にできるようにする。【解決手段】ブロアケース２のモータ取付壁２Ａの開口周縁部２１Ａに、ケース外部Ｇから環状のブラケット３１の外周縁部３１Ａを重ね合わせて、該ブラケット３１をケース外部Ｇからモータ取付壁２Ａにネジ４１で止めると共に、ブラケット３１の中央開口の周縁部３１Ｂに、ケース内部Ｎからブロアモータ３のフランジ３Ａを重ね合わせて、該フランジ３Ａをケース内部Ｎからブラケット３１にネジ４２で止めた。【選択図】      図１
2004210101.tif 000002
【特許請求の範囲】
【請求項１】
ブロアケース（２）のモータ取付壁（２Ａ）の開口周縁部（２１Ａ）に、ケース外部（Ｇ）から環状のブラケット（３１）の外周縁部（３１Ａ）を重ね合わせて、該ブラケット（３１）をケース外部（Ｇ）からモータ取付壁（２Ａ）にネジ（４１）で止めると共に、前記ブラケット（３１）の中央開口の周縁部（３１Ｂ）に、ケース内部（Ｎ）からブロアモータ（３）のフランジ（３Ａ）を重ね合わせて、該フランジ（３Ａ）をケース内部（Ｎ）からブラケット（３１）にネジ（４２）で止めたことを特徴とする空調ユニットおけるブロアモータの取付構造。
【請求項２】
請求項１記載の空調ユニットにおけるブロアモータの取付構造であって、
前記ブロアモータ（３）の回転軸（３Ｂ）に結合したファン（５）のディスク（５１）部分に、前記ケース内部（Ｎ）からブロアモータ（３）のフランジ（３Ａ）をブラケット（３１）に取り付けているネジ（４２）に対し工具（１００）を届かせるための工具挿通孔（５１Ａ）を設けたことを特徴とする空調ユニットおけるブロアモータの取付構造。
【請求項３】
ブロアケース（２）のモータ取付壁（２Ａ）の開口周縁部（２１Ａ）に、ケース内部（Ｎ）から環状のブラケット（３１）の外周縁部（３１Ａ）を重ね合わせて、該ブラケット（３１）をケース内部（Ｎ）からモータ取付壁（２Ａ）にネジ（４１）で止めると共に、前記ブラケット（３１）の中央開口の周縁部（３１Ｂ）に、ケース外部（Ｇ）からブロアモータ（３）のフランジ（３Ａ）を重ね合わせて、該フランジ（３Ａ）をケース外部（Ｇ）からブラケット（３１）にネジ（４２）で止めたことを特徴とする空調ユニットおけるブロアモータの取付構造。
【発明の詳細な説明】
【０００１】
【発明の属する技術分野】
本発明は、車両用の空調ユニットおけるブロアモータの取付構造に関する。
【０００２】
【従来の技術】
車両用の空調ユニットには、送風ファンを収容したブロアケースが設けられており、このブロアケースのファンを挟んで対向する一方の側壁外面にインテークボックスが取り付けられ、他方の側壁外面にブロアモータが取り付けられている（例えば、特許文献１参照）。また、ブロアケースに左右対称に取付口を設け、各取付口にインテークボックスとブロアモータの双方を選択的に取り付けられるようにしたものもある（例えば、特許文献２参照）。
【０００３】
この種の空調ユニットにおいては、従来、ブロアケースに対するブロアモータの取付構造として、ブロアケースのモータ取付壁の開口周縁部にケース外部からモータフランジを重ね合わせ、その状態でケース外部からモータフランジをモータ取付壁にネジ止めする構造が採用されている。
【０００４】
【特許文献１】
実開昭４９−７３１３７号公報
【０００５】
【特許文献２】
特開平８−１６４７２８号公報
【０００６】
【発明が解決しようとする課題】
上記従来のブロアモータの取付構造では、ブロアケースの外部からモータフランジをモータ取付壁にネジ止めしているので、モータを取り外す必要が生じた場合、ケース外部側へしかモータを取り外すことができなかった。つまり、ケース内部を挟んで反対側にはインテークボックスが取り付けられているが、インテークボックス側からモータを取り外すことはできなかった。
【０００７】
このため、例えば、ブロアモータを車幅方向の左側（右側）に向け、インテークボックスを右側（左側）に向けた姿勢でインストルメントパネルの下部に空調ユニットを配置した場合、空調ユニットの車載状態では左側（右側）からしかブロアモータを交換することができなかった。
【０００８】
しかし、ブロアモータの近傍に他の車載部品が配置されていて、モータの取り外しスペースが制限されているような場合は、他の部品をそのままにしてブロアモータだけを取り外すことは困難であり、例えば、インストルメントパネルを取り外してからブロアモータの取り外しを行わざるを得ず、大変な工数がかかるという問題があった。
【０００９】
本発明は、上記事情を考慮し、ブロアモータの取り外しを互いに反対の２方向から選択的にできるようにし、インストルメントパネルを取り外すことなく、空調ユニットの周辺スペースに余裕のある方向からブロアモータの交換が行えるようにして、サービス性の向上を図ったブロアモータの取付構造を提供することを目的とする。
【００１０】
【課題を解決するための手段】
請求項１の発明は、ブロアケースのモータ取付壁の開口周縁部に、ケース外部から環状のブラケットの外周縁部を重ね合わせて、該ブラケットをケース外部からモータ取付壁にネジで止めると共に、前記ブラケットの中央開口の周縁部に、ケース内部からブロアモータのフランジを重ね合わせて、該フランジをケース内部からブラケットにネジで止めたことを特徴とする。
【００１１】
請求項２の発明は、請求項１記載の空調ユニットおけるブロアモータの取付構造であって、ブロアモータの回転軸に結合したファンのディスク部分に、前記ケース内部からブロアモータのフランジをブラケットに取り付けているネジに対し工具を届かせるための工具挿通孔を設けたことを特徴とする。
【００１２】
請求項３の発明は、ブロアケースのモータ取付壁の開口周縁部に、ケース内部から環状のブラケットの外周縁部を重ね合わせて、該ブラケットをケース内部からモータ取付壁にネジで止めると共に、該ブラケットの中央開口の周縁部に、ケース外部からブロアモータのフランジを重ね合わせて、該フランジをケース外部からブラケットにネジで止めたことを特徴とする。
【００１３】
【発明の効果】
請求項１の発明によれば、ブロアモータをケース外部側へ取り外す場合は、ブラケットをブロアケースに止めているネジを外して、ブラケットをケース外部側へ外すことで、ブラケットごとブロアモータをブロアケースから取り外すことができる。また、ブロアモータをケース内部側（インテークボックス側）へ取り外す場合は、モータフランジをブラケットに止めているネジを外して、ブロアモータをケース内部側へ外すことで、ブロアモータをブラケットから切り離した単体の状態でブロアケースから取り外すことができる。従って、ブロアモータの取り外しをケース外部側からと内部側からの両方から行うことができ、作業スペースの関係でいずれかを自由に選択することができ、その結果、インストルメントパネルを取り外すことなく、周辺スペースに余裕のある方向からブロアモータの交換を行うことができて、サービス性の向上が図れる。
【００１４】
請求項２の発明によれば、ファンのディスク部分に設けた工具挿通孔を通して、工具（ドライバの先端）を差し込むことにより、モータフランジをブラケットに取り付けているネジを取り外すことができる。従って、ファンを取り外さないまま、前記のネジを外してブロアモータをケース内部側へ取り外すことができ、ブロアモータをケース内部側（インテークボックス側＝ファン側）から取り外す際の工数減を図ることができる。
【００１５】
請求項３の発明によれば、ブロアモータをケース内部側（インテークボックス側）へ取り外す場合は、ブラケットをブロアケースに止めているネジを外して、ブラケットをケース内部側へ外すことで、ブラケットごとブロアモータをブロアケースから取り外すことができる。また、ブロアモータをケース外部側へ取り外す場合は、モータフランジをブラケットに止めているネジを外して、ブロアモータをケース外部側へ外すことで、ブロアモータをブラケットから切り離した単体の状態でブロアケースから取り外すことができる。従って、ブロアモータの取り外しをケース外部側からと内部側からの両方から行うことができ、作業スペースの関係でいずれかを自由に選択することができ、その結果、インストルメントパネルを取り外すことなく、周辺スペースに余裕のある方向からブロアモータの交換を行うことができて、サービス性の向上が図れる。
【００１６】
【発明の実施の形態】
以下、本発明の実施形態を図面に基づいて説明する。
【００１７】
図１〜図３は本発明の第１実施形態の説明図、図４は第２実施形態の説明図、図５は第３実施形態の説明図、図６、図７は本発明が適用される空調ユニットの全体構成図である。
【００１８】
まず、図６、図７を用いて空調ユニットの全体構成について説明する。
【００１９】
この空調ユニット１のユニットケース１Ａの一部にはブロアケース２が設けられている。ブロアケース２の一方の側面にはブロアモータ３が取り付けられ、他方の側面にはインテークボックス４が取り付けられている。ブロアモータ３の回転軸にはファン５が取り付けられ、このファン５はブロアケース２の内部に収容されている。
【００２０】
ユニットケース１Ａの内部には空気通路が確保されており、その空気通路には上流側から順にエアフィルタ６、エバポレータ７、エアミックスドア８、ヒータコア９が配置されている。エアミックスドア８は、エバポレータ７を通過した冷風を、その位置により、ヒータコア９を通過する通路と、ヒータコア９を迂回する通路とに分配調節するもので、ヒータコア９の後流部には、ヒータコア９を通過した温風とバイパスした冷風とをミックスするエアミックスチャンバ１０が設けられている。また、エアミックスチャンバ１０に連通するようにユニットケース１Ａには、デフロスタ吹出口１１、ベント吹出口１２、フット吹出口１３、後席用吹出口１４が設けられている。
【００２１】
このように構成された空調ユニット１は、例えば、インストルメントパネルの下部に、ブロアモータ３とインテークボックス４を車幅方向の左右に向け、各吹出口を車両後方に向けて配置される。
【００２２】
次に、図１〜図３を用いて本発明の第１実施形態のブロアモータ取付構造について説明する。
【００２３】
図１に示すように、ブロアケース２のファン５を挟んで対向する一方の側壁（以下、この側壁を「モータ取付壁」という）２Ａの開口２１にはブロアモータ３が取り付けられ、他方の側壁２Ｂ（以下、この側壁は「インテークボックス取付壁」という）の開口２２にはインテークボックス４が取り付けられている。なお、両開口２１、２２はいずれも、ブロアモータ３およびファン５の外周縁より大径に形成されている。
【００２４】
上記インテークボックス４は、インテークドア４Ｃによって選択的に開閉される内気導入口４Ｂおよび外気導入口４Ａが開口するボックス本体に、ブロアケース２の開口２２に取り付けられるフレア状のベルマウス部４５が一体に形成されている。
【００２５】
そしてこの実施形態では、ブロアケース２のモータ取付壁２Ａとモータ３のフランジ３Ａとの間には環状のブラケット３１が介在されている。即ち、ブロアケース２のモータ取付壁２Ａの開口２１の周縁部２１Ａに、ケース外部Ｇ側から環状のブラケット３１の外周縁部３１Ａが重ね合わせられ、その状態でブラケット３１がケース外部Ｇからモータ取付壁２Ａにネジ４１で止められている。また、ブラケット３１の中央開口の周縁部３１Ｂに、ケース内部Ｎ側からブロアモータ３のフランジ３Ａが重ね合わせられ、その状態でフランジ３Ａがケース内部Ｎ側からブラケット３１にネジ４２で止められている。そしてそれにより、ブロアモータ３がブラケット３１を介してブロアケース２のモータ取付壁２Ａに取り付けられている。
【００２６】
なお、ファン５は、ディスク５１の中心に設けたボス部５２にモータ３の回転軸３Ｂを嵌合し、その状態で回転軸３Ｂの先端にナット４３を締め込むことで、モータ３に取り付けられている。
【００２７】
次に作用を説明する。
【００２８】
ブロアモータ３をケース外部Ｇ側へ取り外す場合は、図２に示すように、ブラケット３１をブロアケース２に止めているネジ４１を外して、ブラケット３１をケース外部Ｇ側へ外すことで、ブラケット３１ごとブロアモータ３をブロアケース２から取り外すことができる。なお、モータ取付壁２Ａの開口２１がモータおよびファン５の外周縁よりも大径に形成されているため、この開口２１から、ファン５を取り付けたままのブロアモータ３をケース外部Ｇに容易に取り外すことができるようになっている。
【００２９】
また、ブロアモータ３をケース内部Ｎ側（インテークボックス４側）へ取り外す場合は、図３に示すように、予め、インテークボックス４をブロアケース２から取り外し、ファン５を、ナット４３を外すことでモータ３の回転軸３Ｂから外しておく。そして、その状態で、モータフランジ３Ａをブラケット３１に止めているネジ４２を外して、ブロアモータ３をケース内部Ｎ側へ外す。そうすることで、ブロアモータ３を、ブラケット３１から切り離した単体の状態で、ブロアケース２からインテークボックス４側の開口２２を通して、外部に取り外すことができる。
【００３０】
このようにブロアモータ３の取り外しをケース外部Ｇ側からとケース内部Ｎ側からの両方から行うことができるので、周辺スペースに余裕のある方向からブロアモータ３の交換を行うことができる。従って、ブロアモータ３の周辺に他の車載部品がある場合でも、インテークボックス４側からブロアモータ３を取り外すことで、インストルメントパネルを取り外す必要を無くすことができ、サービス性の向上が図れる。
【００３１】
ここで、図４の第２実施形態のように、ファン５のディスク５１部分に、ケース内部Ｎからブロアモータ３のフランジ３Ａをブラケット３１に取り付けているネジ４１に対し工具（ドライバの先端）１００を届かせるための工具挿通孔５１Ａを設けておけば、その工具挿通孔５１Ａを通してネジ４２を取り外すことができるので、ファン５を取り外さないまま、前記のネジ４２を外してブロアモータ３をケース内部Ｎ側へ取り外すことができる。なお、インテークボックス取付壁２Ｂの開口２２をブロアモータ３およびファン５の外周縁より大径としてあるため、この開口２２を通じて、ファン５を取り付けたままのブロアモータ３をケース外部Ｇに容易に取り外すことができるようになっている。
【００３２】
従って、ブロアモータ３をケース内部Ｎ側（インテークボックス４側＝ファン５側）から取り外す際の工数減を図ることができる。
【００３３】
特に、この実施形態では、インテークボックス取付壁２Ｂの開口２２（この開口２２は吸込口として機能している）に取り付けられるベルマウス部４５が、インテークボックス４に一体に形成されているため、インテークボックス４を開口２２から取り外すと共にベルマウス部４５も外れて、開口２２から、ファン３が取り付けられたままのブロアモータ３を取外可能な状態となる。そのため、ベルマウスが別体に設けられる場合に比べ、さらに取外工数が少なくなる利点がある。
【００３４】
ここで、上記実施形態では、ブロアケース２のモータ取付壁２Ａの開口周縁部２１Ａに、ケース外部Ｇ側からブラケット３１の外周縁部３１Ａを重ね合わせて、ブラケット３１をケース外部Ｇ側からモータ取付壁２Ａにネジ４１で止めると共に、ブラケット３１の中央開口の周縁部３１Ｂに、ケース内部Ｎ側からブロアモータ３のフランジ３Ａを重ね合わせて、フランジ３Ａをケース内部Ｎ側からブラケット３１にネジ４２で止めた場合を示したが、ブラケット３１及びモータフランジ３Ａを取り付ける方向を逆にしてもよい。
【００３５】
即ち、図５の第３実施形態のように、ブロアケース２のモータ取付壁２Ａの開口周縁部２１Ａに、ケース内部Ｎ側から環状のブラケット３１の外周縁部３１Ａを重ね合わせて、ブラケット３１をケース内部Ｎ側からモータ取付壁２Ａにネジ４１で止めすると共に、ブラケット３１の中央開口の周縁部３１Ｂに、ケース外部Ｇ側からブロアモータ３のフランジ３Ａを重ね合わせて、フランジ３Ａをケース外部Ｇ側からブラケット３１にネジ４２で止める構成としてもよい。
【００３６】
この構成であると、ブロアモータ３をケース内部Ｎ側（インテークボックス４側）へ取り外す場合は、ブラケット３１をブロアケース２に止めているネジ４１を外して、ブラケット３１をケース内部Ｎ側へ外すことで、ブラケット３１ごとブロアモータ３をブロアケース２から取り外すことができる。
【００３７】
また、ブロアモータ３をケース外部Ｇ側へ取り外す場合は、モータフランジ３Ａをブラケット３１に止めているネジ４２を外して、ブロアモータ３をケース外部Ｇ側へ外すことで、ブロアモータ３をブラケット３１から切り離した単体の状態でブロアケース２から取り外すことができる。
【００３８】
従って、前記第１、第２実施形態と同じ効果が得られる。
【図面の簡単な説明】
【図１】本発明の第１実施形態の構成を示す断面図で、図６の矢印ＳＢ−ＳＢに相当する断面図である。
【図２】第１実施形態において、ブロアモータをケース外部側から取り外した場合の断面図である。
【図３】第１実施形態において、ブロアモータをケース内部側（インテークボックス側）から取り外した場合の断面図である。
【図４】本発明の第２実施形態の構成を示す断面図である。
【図５】本発明の第３実施形態の構成を示す分解断面図である。
【図６】本発明を適用する対象の空調ユニットの外観図である。
【図７】同空調ユニットの内部構造を示す断面図で、図６の矢印ＳＢ−ＳＢに相当する断面図である。
【符号の説明】
１  空調ユニット
２  ブロアケース
２Ａ  モータ取付壁
２１  開口
２１Ａ  周縁部
３  ブロアモータ
３Ａ  フランジ
３Ｂ  回転軸
３１  ブラケット
３１Ａ  外周縁部
３１Ｂ  中央開口の周縁部
４１，４２  ネジ
５  ファン
５１  ディスク
５１Ａ  工具挿入孔
１００  工具
Ｇ  ケース外部
Ｎ  ケース内部
【図１】
2004210101.tif 000003
【図２】
2004210101.tif 000004
【図３】
2004210101.tif 000005
【図４】
2004210101.tif 000006
【図５】
2004210101.tif 000007
【図６】
2004210101.tif 000008
【図７】
2004210101.tif 000009